(57)【特許請求の範囲】
【請求項１】
監視領域における異常発生を検出して異常発生を警報する警報器であって、通電開始時に自動初期点検処理を行うようにした警報器において、
外部から操作可能な点検操作手段を設け、該点検操作手段の所定の操作により前記自動初期点検処理を開始するようにしつつ、
前記自動初期点検処理は、前記警報器の各機器要素の故障検出を行って該機器要素の故障有無状態を記憶手段に記憶する処理を含み、該自動初期点検処理は、前記点検操作手段の前記所定の操作により開始した場合には、前記機器要素の故障検出を行わずに、前記記憶手段に記憶されている前記故障有無状態を通知することを特徴とする警報器。
【請求項２】
前記点検操作手段が、前記所定の操作と異なる態様の操作により前記警報を停止する停止操作手段を兼ねていることを特徴とする請求項１に記載の警報器。
【発明の詳細な説明】
【技術分野】
【０００１】
本発明は、監視領域における異常発生を検出して異常発生を警報する警報器に関する。
【背景技術】
【０００２】
従来、警報器として例えば特許第４７２１６６４号公報（特許文献１）に開示されたものがある。この警報器は、商用電源により動作するものであり、例えばガス漏れが検出されて警報出力時には、ガスメータ等に有電圧出力を行ってガスの遮断等を行えるものである。
【０００３】
また、この商用電源を利用する警報器（ＡＣタイプの警報器）では、電源投入時にガスセンサの安定待ちや各種故障検出などの自動初期点検処理を行っており、通常の監視状態として使用可能となるのは、電源投入から略６０秒後のものがある。さらに、自動初期点検処理の終了後は、点検モード処理が起動され、ガスセンサの故障確認を容易に行うことが可能となっていた。さらに、警報器を設置後の運転中に、点検業者等によるガスかけ点検を行う際には、電源プラグを抜き差しすることで自動初期点検処理が開始され、警報器の状態の再確認と、ガスセンサの点検を容易に行うことができるようになっている。
【０００４】
また、電池で動作する電池式の警報器では、電源スイッチを搭載しており、この電源スイッチのオン操作で電池からの通電により動作し、上記同様に自動初期点検処理、及び点検モード処理の動作を行う。
【先行技術文献】
【特許文献】
【０００５】
【特許文献１】特許第４７２１６６４号公報
【発明の概要】
【発明が解決しようとする課題】
【０００６】
ところで、前記電池式の警報器では、電源スイッチがオフとされると、保安機器として動作しなくなるため、この電源スイッチはユーザーが容易に操作できないような構造になっている。例えば、警報器の本体に電源スイッチを収納するとともに、本体のはめ殺しの蓋等で電源スイッチを隠すような構造となっている。このため。点検業者で実施する点検時に、自動初期点検処理の機能を利用した警報器の状態確認や、ガスかけ点検によるガスセンサの点検を容易に行うことが困難であり、この点で改良の余地を残している。
【０００７】
本発明は、警報器において、例えば本体に隠された電源スイッチの操作が困難な設置後において、点検を容易に行うことができるようにすることを課題とする。
【課題を解決するための手段】
【０００８】
請求項１の警報器は、監視領域における異常発生を検出して異常発生を警報する警報器であって、通電開始時に自動初期点検処理を行うようにした警報器において、外部から操作可能な点検操作手段を設け、該点検操作手段の所定の操作により前記自動初期点検処理を開始するようにしつつ、前記自動初期点検処理は、前記警報器の各機器要素の故障検出を行って該機器要素の故障有無状態を記憶手段に記憶する処理を含み、該自動初期点検処理は、前記点検操作手段の前記所定の操作により開始した場合には、前記機器要素の故障検出を行わずに、前記記憶手段に記憶されている前記故障有無状態を通知することを特徴とする。
【００１０】
請求項２の警報器は、請求項１に記載の警報器であって、前記点検操作手段が、前記所定の操作と異なる態様の操作により前記警報を停止する停止操作手段を兼ねていることを特徴とする。
【発明の効果】
【００１１】
請求項１の警報器によれば、当該警報器の設置時に、通電開始により自動初期点検処理が行われるが、設置後は、点検操作手段の所定の操作により自動初期点検処理を開始するので、例えば本体に隠された電源スイッチの操作が困難な設置後の点検を容易に行うことができる。
【００１２】
また、自動初期点検処理を点検操作手段の前記所定の操作により開始した場合には、機器要素の故障検出を行わずに記憶手段に記憶されている故障有無状態を通知するので、故障検出動作による前記電池の消耗を防止することができる。
【００１３】
請求項２の警報器によれば、請求項１の効果に加えて、点検操作手段、警報を停止する停止操作手段を兼ねているので、部品点数を低減できる。
【図面の簡単な説明】
【００１４】
【図１】本発明の実施形態の警報器としてのガス警報器の要部ブロック図である。
【図２】同実施形態のガス警報器の外観を示す正面図である。
【図３】本発明の実施形態に係る自動初期点検処理における動作の一例を示すタイムチャートである。
【図４】本発明の実施形態に係る点検スイッチ処理における短押し点検の正常時の動作の一例を示すタイムチャートである。
【図５】本発明の実施形態に係る点検スイッチ処理における短押し点検の故障時の動作の一例を示すタイムチャートである。
【図６】本発明の実施形態に係る点検スイッチ処理における短押し点検の電池低下時の動作の一例を示すタイムチャートである。
【図７】本発明の実施形態に係る点検スイッチ処理における短押し点検の有効期限経過時の動作の一例を示すタイムチャートである。
【図８】本発明の実施形態に係る点検スイッチ処理における長押し点検の動作の一例を示すタイムチャートである。
【図９】本発明の実施形態に係る点検スイッチ処理における長々押し自動初期点検の一例を示すタイムチャートである。
【発明を実施するための形態】
【００１５】
次に、本発明の実施の形態を図面を参照して説明する。図１は本発明の警報器としてのガス警報器の要部ブロック図、図２は同ガス警報器の外観を示す正面図である。この実施形態のガス警報器１００は乾電池で動作する電池式警報器であり、ＬＰガスや都市ガスのガス漏れを検出して警報を発するとともに、ＣＯガス（一酸化炭素ガス）の警報濃度を検出して警報を発するものである。
【００１６】
ガス警報器１は、略矩形状に形成されており、監視領域の壁や天井等に設置される。なお、監視領域とは、ガス警報器１００の監視が可能な設置場所である部屋、範囲等を示している。
【００１７】
図１に示すように、このガス警報器１００は、マイコン等で構成された制御部１０と、ガス漏れを検知するためのガスセンサ１１と、ＣＯガスを検出するためのＣＯセンサ１２と、「点検操作手段」としての点検停止スイッチ１３と、電池電圧を検出するための電池電圧入力回路１４と、「記憶手段」としてのＥＥＰＲＯＭ１５と、警報器の状態を表示する緑色のＬＥＤ１６ａと、黄色のＬＥＤ１６ｂと、赤色のＬＥＤ１６ｃと、電池の状態を表示するＬＣＤ表示器１７ａを駆動するＬＣＤ駆動回路１７と、スピーカ１８ａから音声を出力するための音声出力回路１８と、外部コンピュータと通信を行うための通信インターフェース（Ｉ／Ｆ）部１９と、電池２０ａにより当該ガス警報器１００の電源を投入する電源スイッチ２０と、を備えている。
【００１８】
図２に破線で示すように、本体ケース１の内部には、ガスセンサ１１、ＣＯセンサ１２、点検停止スイッチ１３、ＬＥＤ１６ａ，１６ｂ，１６ｃ、ＬＣＤ表示器１７ａ、スピーカ１８ａ、電池２０ａが収容されている。本体ケース１の正面と右上部側面には外気を取り込む通気孔１ａ，１ｂが形成されており、通気孔１ａの近傍にガスセンサ１１が配置されるとともに、通気孔１ｂの近傍にＣＯセンサ１２が配置されている。また、本体ケース１の左下部正面には放音孔１ｃが形成され、この放音孔１ｃの近傍にスピーカ１８ａが配置されている。本体ケース１の正面下部には点検停止スイッチ１３の操作部１ｄが設けられており、この操作部１ｄには「警報停止」と記されている。また、本体ケース１の正面右側には、各ＬＥＤ１６ａ，１６ｂ，１６ｃの表示窓１ｅ、ＬＣＤ表示器１７ａの表示窓１ｆが設けられ、表示窓１ｅの横には、ＬＥＤ１６ａに対応して「おしらせ」と記され、ＬＥＤ１６ｂに対応して「ＣＯ」と記され、１６ｃに対応して「ガス」と記されている。
【００１９】
電池２０ａにより電源を投入するための前記電源スイッチ２０は、本体ケース１内に収容されるとともに、本体ケース１の背面に「嵌め殺し」により隠されている。そして、出荷から取り付けまでは電源スイッチ２０により電源オフ状態とされ、取り付け時に業者等により電源スイッチ２０がオンとされる。
【００２０】
次に、上述した構成による制御部１０の制御による実施形態の動作及び処理について説明する。この実施形態のガス警報器１００は「自動初期点検処理」、「点検モード処理」、「点検スイッチ処理」の各動作を行う。なお、以下の説明で、「電池電圧チェック」は電池電圧入力回路１４の入力を検査することを示し、「ＰＣ通信入力チェック」は通信インターフェース部１９の入力を検査することを示す。「ＬＥＤ」はＬＥＤ１６ａ，１６ｂ，１６ｃを示し、「スピーカ音声回路チェック」は、スピーカ１８ａと音声出力回路１８を検査することを示す。
【００２１】
（自動初期点検処理）自動初期点検処理は、電源スイッチ２０のオン操作で電池２０ａからの通電により動作を開始する。そして、電源スイッチ２０による電源投入時に、電池電圧チェック起動表示を行うとともに、起動音を鳴動させ、その後、点検動作を開始しガスセンサ１１やＣＯセンサ１２等の各種機器要素の故障診断を行う。なお、このときは、点検停止スイッチ１３の「長々押し」による操作で再起動することもできる。
【００２２】
図３は自動初期点検処理時の動作の一例を示すタイミングチャートである。まず、１００ｍｓの回路電圧チェックと１００ｍｓのＰＣ通信入力チェックを行い（ａ．）、この２００ｍｓにて電源安定後、時計タイマを起動する。また、サブクロック発信が安定する１秒待ちの間にＥＥＰＲＯＭ１５（データフラッシュ）から初期値を読み出し、チェックする（ｂ．）。そして、サブクロック発信が安定する１秒待ちの後、疑似負荷による電池電圧チェック（ｃ．）、スピーカ音声回路チェック（ｄ．）を行うとともに、ＬＥＤ１６ａ，１６ｂ，１６ｃを全点灯（ｆ．〜ｈ．）させる。電池電圧チェックは、ＬＥＤ点灯と音声より先に疑似負荷をかけることで電池消耗時の繰り返し動作を防止する。ＬＥＤの全点灯中には、起動音「ピ」の鳴動（ｅ．）により、スピーカ１８ａの断線と、音声出力回路１８のチェックをする。
【００２３】
次に、自動初期点検処理の実行中であることを示すために緑色のＬＥＤ１６ａの２Ｈｚの点滅を開始する（ｆ．）。この点滅は３０秒間継続し、その間にガスセンサ１１とＣＯセンサ１２の１秒毎の安定待ち駆動を開始する（ｊ．）。そして、３７秒間のガスセンサの安定待ち駆動中に、ガスセンサ駆動回路、ＣＯセンサベース電圧による故障チェックを行う（ｉ．）。
【００２４】
自動初期点検処理の３０秒の経過終了により、鳴動原因表示を行う（ｆ．〜ｈ．）。なお、鳴動原因表示の終了後に、各種チェック結果を以下のように音声鳴動する。正常終了時は「正常です」と、故障検出時は「ピピピ、故障です、販売店に連絡してください」と、電池電圧低下時は「ピ、電池切れです、販売店に連絡してください」と、有効期限経過時は「有効期限がきれています、販売店に連絡してください」と、それぞれ音声鳴動する。そして、音声鳴動終了後、３分３０秒間の「点検モード処理」の動作とする。
【００２５】
（点検モード処理）上記の電源投入で開始される自動初期点検処理の後の点検モード処理では、予め燃焼排ガスから採取した水素ガスとＣＯガスを用い、ガスＣＯ警報点検を行う。この点検モード中は、点検性の向上を目的として、「警報開始時間」及び「警報解除時間」の短縮を図る。ガス警報では、高濃度警報後、低濃度警報の状態により待機状態（警報解除）とする。また、水素ガスの検出によりメタン警報とする。ＣＯ警報では、特定のガス濃度の変化時に警報を解除する。また、ＬＥＤ表示遅延時間と、低濃度鳴動遅延時間を設けない。なお、警報は点検停止スイッチ１３の操作により停止することができる。
【００２６】
（点検スイッチ処理）点検スイッチ処理は、通常の監視状態において点検停止スイッチ１３の操作により動作を開始する。この動作は、点検停止スイッチ１３が３秒未満だけ短く押された場合（以下、「短押し」という。）と、点検停止スイッチ１３が３秒以上で６秒未満だけ押された場合（以下、「長押し」という。）と、点検停止スイッチ１３が６秒以上長く押された場合（以下、「長々押し」という。）と、で処理動作を変える。そして、長々押し操作時に、前記の電源投入で開始される自動初期点検処理を簡略化した自動初期点検処理を行う。
【００２７】
図４は点検スイッチ処理における短押し点検の正常時の動作の一例を示すタイムチャートである。図４（Ａ）は鳴動履歴が無い場合、図４（Ｂ）は鳴動履歴が有る場合であり、両者の違いは鳴動原因表示の態様である。まず、点検停止スイッチ１３のオン操作が有ると（ａ．）、スピーカ音声回路チェック（ｂ．）を行うとともに、起動音「ピ」の鳴動（ｃ．）を行う。そして、点検停止スイッチ１３のオン操作が３秒以内に終了すると、ＬＥＤ１６ａ，１６ｂ，１６ｃを全点灯（ｄ．〜ｆ．）させて鳴動原因表示を行う。鳴動原因表示が終了すると、スピーカ音声回路チェック（ｂ．）を行うとともに、「正常です」の音声鳴動（ｃ．）を行う。
【００２８】
ここで、最後に確定した警報状態はＥＥＰＲＯＭ１５に記憶しておき、この最後の警報判定時の時間値（日時）が、現在から１０日（２４０時間）以内でなければ鳴動履歴無しと見なして図４（Ａ）の動作をする。また、現在から１０日（２４０時間）以内であれば鳴動履歴有りと見なして図４（Ｂ）の操作をする。すなわち、鳴動原因表示において、図４（Ａ）の場合は、ＬＥＤ１６ａ，１６ｂ，１６ｃを０．５秒点灯するが、図４（Ｂ）の場合は、鳴動原因に対応するＬＥＤを１秒点灯する。図４（Ｂ）の例では、ガス警報有りの場合であって、緑色のＬＥＤ１６ａと黄色のＬＥＤ１６ｂを０．５秒点灯するとともに、赤色のＬＥＤ１６ｃを１秒点灯している。なお、ＣＯ警報の場合は黄色のＬＥＤ１６ｂを１秒点灯する。
【００２９】
図５は点検スイッチ処理における短押し点検の故障時の動作の一例を示すタイムチャートである。故障時には、緑色のＬＥＤ１６ａを０．５秒周期で３回点滅する動作を所定周期で繰り返し、故障であることがＬＥＤ表示されている（ｄ．）。点検停止スイッチ１３のオン操作が有ると（ａ．）、スピーカ音声回路チェック（ｂ．）を行うとともに、起動音「ピ」の鳴動（ｃ．）を行う。さらに、スピーカ音声回路チェック（ｂ．）を行い、緑色のＬＥＤ１６ａの３回点滅（ｄ．）とともに、「ピピピ  故障です、販売店に連絡してください」と音声鳴動する（ｃ．）。そして、緑色のＬＥＤ１６ａの３回点滅の所定周期の動作以外は行わない。
【００３０】
図６は点検スイッチ処理における短押し点検の電池低下時の動作の一例を示すタイムチャートである。電池低下時には、緑色のＬＥＤ１６ａを０．５秒の１回点滅する動作を所定周期で繰り返し、電池低下であることがＬＥＤ表示されている（ｄ．）。点検停止スイッチ１３のオン操作が有ると（ａ．）、スピーカ音声回路チェック（ｂ．）を行うとともに、起動音「ピ」の鳴動（ｃ．）を行う。さらに、スピーカ音声回路チェック（ｂ．）を行い、緑色のＬＥＤ１６ａの１回点滅（ｄ．）とともに、「ピ  電池切れです、販売店に連絡してください」と音声鳴動する（ｃ．）。そして、緑色のＬＥＤ１６ａの１回点滅の所定周期の動作以外は行わない。
【００３１】
図７は点検スイッチ処理における短押し点検の有効期限経過時の動作の一例を示すタイムチャートである。まず、点検停止スイッチ１３のオン操作が有ると（ａ．）、スピーカ音声回路チェック（ｂ．）を行うとともに、起動音「ピ」の鳴動（ｃ．）を行う。さらに、スピーカ音声回路チェック（ｂ．）を行い、「有効期限が切れています、販売店に連絡してください」と音声鳴動する（ｃ．）。そして、その他の動作は行わない。
【００３２】
図８は点検スイッチ処理における長押し点検の動作の一例を示すタイムチャートである。まず、点検停止スイッチ１３のオン操作が有ると（ａ．）、スピーカ音声回路チェック（ｂ．）を行うとともに、起動音「ピ」の鳴動（ｃ．）を行う。そして、点検停止スイッチ１３のオン操作が３秒経過すると、スピーカ音声回路チェック（ｂ．）を行うとともに、長押し確定音「ピピッ」の鳴動（ｃ．）を行う。点検停止スイッチ１３のオン操作が６秒以内に終了すると、スピーカ音声回路チェック（ｂ．）を行い、赤色のＬＥＤ１６ｃの１秒周期の点滅（ｅ．）を７．５秒継続する。そして、この７．５秒の点滅の間にガス警報音を鳴動する（ｃ．）。また、この赤色のＬＥＤ１６ｃの７．５秒の点滅が終了すると、スピーカ音声回路チェック（ｂ．）を行い、黄色のＬＥＤ１６ｂの１秒周期の点滅（ｆ．）を７．５秒継続する。そして、この７．５秒の点滅の間にＣＯ警報音を鳴動する（ｃ．）。そして、この黄色のＬＥＤ１６ｂの７．５秒の点滅が終了すると、１秒置いて「ピ」の鳴動（ｃ．）を行う。
【００３３】
図９は点検スイッチ処理における長々押し点検の一例を示すタイムチャートである。まず、点検停止スイッチ１３のオン操作が有ると（ａ．）、スピーカ音声回路チェック（ｂ．）を行うとともに、起動音「ピ」の鳴動（ｃ．）を行う。そして、点検停止スイッチ１３のオン操作が３秒経過すると、スピーカ音声回路チェック（ｂ．）を行うとともに、長押し確定音「ピピッ」の鳴動（ｃ．）を行う。さらに、点検停止スイッチ１３のオン操作が６秒経過すると、スピーカ音声回路チェック（ｂ．）を行うとともに、長々押し確定音「ピピピッ」の鳴動（ｃ．）を行う。
【００３４】
次に、自動初期点検処理の実行中であることを示すために緑色のＬＥＤ１６ａの２Ｈｚの点滅を開始する（ｄ．）。この点滅は図３に示す自動初期点検処理と同様に３０秒間継続するが、ガスセンサ１１とＣＯセンサ１２の１秒毎の安定待ち駆動は行わず、ガスセンサ１１とＣＯセンサ１２で５秒毎に測定を行う。また、この３０秒間にＣＯセンサ故障チェックを行う（ｇ．）。そして、自動初期点検処理の３０秒の経過終了により、鳴動原因表示を行う（ｄ．〜ｆ．）。なお、鳴動原因表示の終了後に、ＥＥＰＲＯＭ１５に各種チェック結果が記録されている場合には、以下のように音声鳴動する。正常終了時は「正常です」と、故障検出時は「ピピピ、故障です、販売店に連絡してください」と、電池電圧低下時は「ピ、電池切れです、販売店に連絡してください」と、有効期限経過時は「有効期限がきれています、販売店に連絡してください」と、それぞれ音声鳴動する。そして、音声鳴動終了後、３分３０秒間の「点検モード処理」の動作とする。
【００３５】
以上のように、点検停止スイッチの長々押しにより自動初期点検処理の動作をするので、警報器の状態をユーザーが容易に確認することができる。したがって、警報器の日常点検が容易になる。また、長々押しによる自動初期点検処理では、電源スイッチ２０での電源投入時の自動初期点検処理よりも低消費電力、短時間で警報器の確認が可能となる。
【００３６】
なお、点検モードは実施しなくてもよい。この場合は、ユーザーの日常点検時に、さらに不要な消費電力の増加が避けられ、警報器の電池寿命を延ばすことができる。
【００３７】
実施形態では、電池で動作する電池式の警報器を例に説明したが、商用電源を利用する警報器（ＡＣタイプの警報器）にも本発明は適用できる。
【００３８】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００３９】
１０    制御部
１１    ガスセンサ
１２    ＣＯセンサ
１３    点検停止スイッチ（点検操作手段）
１５    ＥＥＰＲＯＭ（記憶手段）
１００  ガス警報器（警報器）
【図１】
0006567284.tif 000002
【図２】
0006567284.tif 000003
【図３】
0006567284.tif 000004
【図４】
0006567284.tif 000005
【図５】
0006567284.tif 000006
【図６】
0006567284.tif 000007
【図７】
0006567284.tif 000008
【図８】
0006567284.tif 000009
【図９】
0006567284.tif 000010